(57)【要約】      （修正有）【課題】上下間隔の狭い清掃個所に清掃具本体を任意の固定水平旋回角度で進入させられるようにする清掃具の継手構造を提供する。【解決手段】清掃具本体の表面に円柱部材１１とそれを隙間を隔てて囲撓する環状壁１２を立設し、円盤形状で中央に円柱部材１１の通る孔１９を有し、下面側には環状壁１２の内径に等しい外径の下向き環状壁を設けた水平旋回部材４を中央孔に円柱部材１１を通した状態で取り付ける。下向き環状壁の内径は円柱部材との間に隙間が形成される内径とし、その隙間には水平旋回部材４を上向きに付勢するコイルスプリング３を配置する。円柱部材上端には円柱部材の抜け防止部材６を取り付ける。水平旋回部材の外側面には先端に二股状部１７を形成した長柄５を起伏自在に取り付ける。清掃具本体上面の環状壁上面と水平旋回部材の環状壁外側の下面には噛み合いクラッチを構成する三角歯形を放射状に形成する。【選択図】図２
0003177726.tif 000002
【実用新案登録請求の範囲】
【請求項１】
清掃具本体に長柄を旋回、起伏自在に連結するための清掃具の継手構造であって、清掃具本体と、水平旋回部材と、長柄と、コイルスプリングと、抜け防止部材とを備えて構成され、
前記清掃具本体の上面板表面には円柱部材と、該円柱部材を隙間を隔てて囲撓する円柱部材より低い高さの環状壁が立設され、
前記水平旋回部材は外径が前記環状壁の外径に等しい円盤形状で中央孔に前記円柱部材を通して上下摺動する構成で、その下面側には前記環状壁の内壁に外壁を接触させて上下動する下向き環状壁が前記円柱部材との間に隙間が形成される内径で形成されており、
該隙間には前記コイルスプリングが前記水平旋回部材を上向きに付勢して配置され、
前記円柱部材の上端には前記コイルスプリングに付勢された水平旋回部材が円柱部材から抜けるのを防止する抜け防止部材が取り付けられ、
前記長柄は先端部に前記水平旋回部材の外径に略等しい間隔を有する二股状部を設けて前記水平旋回部材の外側面に起伏自在に取り付けられ、
前記清掃具本体上面の環状壁上面と前記水平旋回部材における下向き環状壁外側の下面には、水平旋回部材が下方に押圧されたときに歯合して噛み合いクラッチを構成する三角歯形が放射状に形成されていることを特徴とする清掃具の継手構造。
【請求項２】
請求項１に記載の清掃具の継手構造において、前記水平旋回部材は外径が前記清掃具本体上面の環状壁外径より大きく形成され、その外径より大きい部分の下面には環状壁と水平旋回部材の境界部を覆う第２の下向き環状壁が形成されていることを特徴とする清掃具の継手構造。
【請求項３】
請求項１又は２に記載の清掃具の継手構造において、前記清掃具本体の前記円柱部材周りの上面板表面には前記コイルスプリングの下端部が納まる浅い環状溝が形成されていることを特徴とする清掃具の継手構造。
【請求項４】
請求項２に記載の清掃具の継手構造において、前記水平旋回部材における前記下向き環状壁を無くして前記第２の下向き環状壁の厚みを厚くし、前記清掃具本体の円柱部材外面と環状壁内壁との間には前記コイルスプリングの納まる隙間を残したことを特徴とする清掃具の継手構造。
【考案の詳細な説明】
【技術分野】
【０００１】
本考案は清掃用拭紙、拭布等のシート体を装着して床面、窓ガラス等の清掃に使用する清掃具に関し、特には上下間隔の狭い清掃個所にも清掃具本体を任意の水平旋回角度で進入可能で、清掃時に清掃具本体が長柄に対して水平旋回しない長柄と清掃具本体間の継手構造に関する。
【背景技術】
【０００２】
床面、窓ガラス等の清掃に使用する清掃具として略長方形支持板（清掃具本体）の底面を包むように使い捨ての清掃用拭紙、拭布等のシート体を装着し、上面中央部に長柄を取り付けたものがある（特許文献１〜４参照）。図１１はその一例の外観図である。支持板５１の上面にはシート体を保持するための保持部５２が両側長辺に沿って４個設けられ、支持板５１の上面中央部には長柄５３が継手部５４を介して連結されている。
【０００３】
この継手部５４に関しては支持板５１に対する長柄５３の旋回、起伏角度を広範囲に変えられるようにした各種構造が提案されている（特許文献１〜３）。図１１に示す継手５４は特許文献１の多方向性モップに採用されている構造である。内向きに孤形状に設けた凹部５５の表面に上向きに垂直に相対する２本の固定柱５６を設け、その間に球形十字継ぎ手５７を取り付け、その球形十字継ぎ手５７に又状部５８を有する長柄（又状主棒）５３を回動可能に取り付けてある。球形十字継ぎ手５７の回転軸と又状部の回動軸とが直行しているため、長柄５３の支持板５１に対する旋回、起伏角度を可変することができる。
【０００４】
しかし、この継手構造の場合は又状部５８の全幅が広いため図１２に示すように長柄５３を支持板５１の長手方向に直角な水平姿勢にした場合には全高が高くなり、上下間隔の狭い清掃個所に進入させることができない。また、長柄５３を水平姿勢で旋回させた場合には図１３に示すように又状部５８が固定柱５６に当接するため水平旋回角度が制限を受けて上下間隔の狭い個所の清掃に困難をきたす。更に、支持板５１の長手方向と長柄５３の水平投影角度とが直角でない姿勢で長柄５３により支持板５１を移動させた場合には、支持板５１が水平回転してしまう問題がある。
【先行技術文献】
【特許文献】
【０００５】
【特許文献１】登録実用新案第３０１５７１９号公報
【特許文献２】実公平０６−２１４２１号公報
【特許文献３】特開２００６−２３８９８２号公報
【考案の開示】
【考案が解決しようとする課題】
【０００６】
本考案は、従来技術のこうした問題点を解決するためになされたもので、その課題は、上下間隔の狭い清掃個所にも清掃具本体を任意の水平旋回角度で進入させることができ、かつ、清掃時に清掃具本体が長柄に対して水平旋回しない長柄と清掃具本体間の継手構造を提供することにある。
【課題を解決するための手段】
【０００７】
前記課題を解決するための請求項１に記載の考案は、清掃具本体に長柄を旋回、起伏自在に連結するための清掃具の継手構造であって、清掃具本体と、水平旋回部材と、長柄と、コイルスプリングと、抜け防止部材とを備えて構成され、清掃具本体の上面板表面には円柱部材と、該円柱部材を隙間を隔てて囲撓する円柱部材より低い高さの環状壁が立設され、水平旋回部材は外径が環状壁の外径に等しい円盤形状で中央孔に円柱部材を通して上下摺動する構成で、その下面側には環状壁の内壁に外壁を接触させて上下動する下向き環状壁が円柱部材との間に隙間が形成される内径で形成されており、該隙間にはコイルスプリングが水平旋回部材を上向きに付勢して配置され、円柱部材の上端にはコイルスプリングに付勢された水平旋回部材が円柱部材から抜けるのを防止する抜け防止部材が取り付けられ、長柄は先端部に水平旋回部材の外径に略等しい間隔を有する二股状部を設けて水平旋回部材の外側面に起伏自在に取り付けられ、清掃具本体上面の環状壁上面と水平旋回部材における下向き環状壁外側の下面には、水平旋回部材が下方に押圧されたときに歯合して噛み合いクラッチを構成する三角歯形が放射状に形成されていることを特徴とする清掃具の継手構造である。
【０００８】
このような構成によれば、長柄で水平旋回部材に下向きの力を加えていない状態では水平旋回部材がコイルスプリングの付勢力により上方に移動して清掃具本体の環状壁上面との間に隙間ができ、噛み合いクラッチが離れた状態となる。離れた状態では長柄の水平投影線と清掃具本体の長手方向中心線との角度は任意に調整できる。この状態で水平旋回部材に長柄で下向きの力を加えると、下向き環状壁の外側下面と清掃具本体の環状壁上面の三角歯形が噛合して噛み合いクラッチが接続され、接続前の角度が固定された状態になる。この状態で長柄を前後、左右、斜め、水平旋回させた場合には、角度が固定されているため清掃具本体は長柄の指示通りに移動し、清掃具本体の意図しない旋回動作が防止される。また、長柄は水平旋回部材の側面に取り付けられているため、長柄を水平位置にした場合の清掃面から清掃具の最高位置までの高さを小さく構成できる。このため上下間隔の狭い清掃個所にも清掃具本体を任意の水平旋回角度で進入させることができる。
【０００９】
また、請求項２に記載の考案は、請求項１に記載の清掃具の継手構造において、水平旋回部材は外径が清掃具本体上面の環状壁外径より大きく形成され、その外径より大きい部分の下面には環状壁と水平旋回部材の境界部を覆う第２の下向き環状壁が形成されていることを特徴とする清掃具の継手構造である。
【００１０】
このような構成によれば、第２の下向き環状壁が水平旋回部材の下面と清掃具本体の環状壁上面との境界部を覆うため噛み合いクラッチを構成している境界部隙間への埃、ゴミ拭布の侵入が防止される。
【００１１】
また、請求項３に記載の考案は、請求項１又は２に記載の清掃具の継手構造において、清掃具本体の円柱部材周りの上面板表面にはコイルスプリングの下端部が納まる浅い環状溝が形成されていることを特徴とする清掃具の継手構造である。
【００１２】
このような構成によればコイルスプリングの下端部は環状溝に嵌まるため、コイルスプリングの下端部が水平旋回部材の下向き環状壁と上面板との間に挟まるのが防止され、その伸縮動作がスムーズになる。
【００１３】
また、請求項４に記載の考案は、請求項２に記載の清掃具の継手構造において、前記水平旋回部材における前記下向き環状壁を無くして前記第２の下向き環状壁の厚みを厚くし、前記清掃具本体の円柱部材外面と環状壁内壁との間には前記コイルスプリングの納まる隙間を残したことを特徴とする清掃具の継手構造である。
【００１４】
このような構造にすれば水平旋回部材の形状がより簡単になる。
【図面の簡単な説明】
【００１５】
【図１】本考案に係る継手構造を採用した清掃具１の外観斜視図である。
【図２】清掃具１の分解斜視図である。
【図３】図１のＡ−Ａ線に沿った拡大部分断面図である。
【図４】水平旋回部材４を下に押しつけた状態の図３相当図である。
【図５】清掃具本体２の環状壁１２の平面図である。
【図６】水平旋回部材４の底面図である。
【図７】長柄５を水平位置にした状態の側面図である。
【図８】第２の実施形態に係る図４相当図である。
【図９】第３の実施形態に係る図４相当図である。
【図１０】第４の実施形態に係る図８相当図である。
【図１１】従来の多方向性モップの外観図の例である。
【図１２】従来の多方向性モップの柄を水平にした状態の側面図である。
【図１３】従来の多方向性モップの柄を水平状態で旋回させた場合の平面図である。
【考案を実施するための形態】
【００１６】
以下、本考案に係る清掃具の継手構造の構成例について実施形態に分けて説明する。
（第１の実施形態）
図１は本実施形態の継手構造を採用した清掃具１の外観斜視図、図２はその分解斜視図、図３は図１において長柄５を直立させた状態のＡ−Ａ線に沿った中央部分（継手構造部）の拡大断面図である。図２に示すように清掃具１は清掃具本体２、コイルスプリング３、水平旋回部材４、長柄５、抜け防止部材６を備えて構成されている。
【００１７】
清掃具本体２は略長方形の中空支持板の下面側にスポンジ９を貼り付けたもので、上面の四隅には清掃用拭紙、拭布等のシート体を装着するための保持部８が形成されている。保持部８は弾性を有する合成樹脂の楕円形薄板の中央部にスリットを放射状に設けて６個の三角形状フラップを形成したもので、中空支持板上面に設けた穴を塞ぐように貼り付けてある。シート体を清掃具本体２の底面を包むように巻き付け、端部を保持部８の上に引き渡し、指先でフラップの間に押し込む。指先を引き抜くと、シート体は弾性を有する三角形状フラップ間のスリット部に挟持状態で保持される。
【００１８】
清掃具本体２の上面板７の中央には、円柱部材１１と、その円柱部材１１を隙間を隔てて同心円状に囲撓する環状壁１２が立設されている。円柱部材１１の高さは環状壁１２より高く、その上面には後述の抜け防止部材６を螺合取り付けするための雌ネジが設けてある。
【００１９】
水平旋回部材４は、水平旋回と、円柱部材１１の外面を上下摺動できるように構成された円盤状部材である。水平旋回部材４の外径は水平旋回部材４の環状壁１２の外径に等しく、中央には円柱部材１１を通す円形孔が形成されている。厚みは円柱部材１１と環状壁１２の高低差より大きくされている。水平旋回部材４の下面側には下向き環状壁１４が同心円状に形成されている。下向き環状壁１４の高さは環状壁１２の高さより低く、外径は環状壁１２の内径に等しくしてあり、水平旋回部材４の上下動に合わせて外壁が環状壁１２内壁に接触した状態で上下動する。下向き環状壁１４の内径は円柱部材１１の外径により僅かに大きくしてあり、円柱部材１１外面との間には隙間が形成されている。水平旋回部材４の上面側の円形孔周りには、後述の抜け防止部材６が嵌まる大きさの浅い窪み１５が形成されている。
【００２０】
コイルスプリング３は、水平旋回部材４の下向き環状壁１４の内壁、清掃具本体２の円柱部材１１の外壁、清掃具本体２の上面板７、水平旋回部材４の下面とで囲まれた狭い空間に配置されており、その状態で水平旋回部材４を常時、上方に付勢している。
【００２１】
抜け防止部材６は、コイルスプリング３により上方に付勢されている水平旋回部材４が円柱部材１１から抜けるのを防止する部材で、円柱部材１１より大径の頭部を有する雄ねじで構成されている。抜け防止部材６は円柱部材１１の上端部雌ネジに螺合取り付けされている。
【００２２】
長柄５は清掃具本体２を操作するための柄で、その先端部には二股状部１７が形成されている。二股状部１７の間隔は水平旋回部材４の外径に略等しく、各股状部の先端部内側には小さい円柱状突起１８が形成されている。水平旋回部材４の外側面には２個の孔１９が中心に対して対称に設けてある。二股状部１７の先端部をその弾性を利用して広げ、円柱突起１８を２個の孔１９に嵌入させる。これにより長柄５は水平旋回部材４に対して起伏自在に回動可能となる。
【００２３】
水平旋回部材４が図３に示すようにコイルスプリング３の付勢力より上方に移動し、抜け防止部材６に当接して停止している状態では、水平旋回部材４における下向き環状壁１４の外側下面２０と清掃具本体２の環状壁１２の上面２１との間に僅かな隙間ができるよう各部材の高さ寸法が調整してある。このように水平旋回部材４と清掃具本体２との間に隙間を生じさた状態で長柄５を水平旋回させることにより、長柄５の水平投影線と清掃具本体２の長手方向中心線との角度を任意角度に調整することができる。
【００２４】
図３に示した状態から長柄５により水平旋回部材４に下向きの力を加えると、水平旋回部材４はコイルスプリング３の付勢力に抗して下方に移動し、その下向き環状壁１４の外側下面２０と清掃具本体２の環状壁上面２１とが図４に示すように当接した状態となる。この状態にて長柄５を回して水平旋回部材４を水平旋回させた場合には清掃具本体２も水平旋回部材４と一緒に水平旋回するように、下向き環状壁１４の外側下面２０と清掃具本体２の環状壁上面２１には噛み合いのための三角歯形２２が形成されている。
【００２５】
図５は清掃具本体２の環状壁１２の平面図、図６は水平旋回部材４の下向き環状壁１４の底面図である。両表面には噛み合いクラッチを構成する三角山形形状の三角歯形２２が放射状に形成されている。両表面が当接した状態では互いの三角歯形２２が歯合し、清掃具本体２は水平旋回部材４の旋回に合わせて水平旋回する。
【００２６】
以上説明した本実施形態の継手構造を採用した清掃具１は次のような特徴を有する。長柄５により水平旋回部材４に下向きの力を加えていない状態では、水平旋回部材４はコイルスプリング３の付勢力より上方に移動し、その下向き環状壁１４の外側下面２０と清掃具本体２の環状壁上面２１との間には図３のように隙間ができる。この状態で長柄５を水平旋回させることにより、長柄５の水平投影線と清掃具本体２の長手方向中心線との角度を任意角度に調整することができる。
【００２７】
その状態で長柄５により水平旋回部材４に下向きの力を加えると、下向き環状壁１４の外側下面２０と清掃具本体２の環状壁上面２１の三角歯形２２が噛合し、図４に示すように噛み合いクラッチが接続された状態となる。この状態では清掃具本体２の長手方向中心線と長柄５の水平投影線との角度は固定された状態になる。長柄５を前後、左右、斜め、水平旋回させると、清掃具本体２は長柄５との角度が固定されたまま指示通りに移動する。従来の清掃具のように清掃具本体２が意図しない旋回動作をすることはない。
【００２８】
また、長柄５は水平旋回部材４の側面に取り付けられているため、図７に示すように長柄５を水平姿勢にした場合の清掃面から清掃具１の最高位置までの高さを低く構成できる。これらのことから本実施形態の継手構造を採用した清掃具１は、上下間隔の狭い清掃個所にも清掃具本体２を任意の水平旋回角度で進入させられ、その状態で前後、左右等に移動させても清掃具本体２が長柄に対して水平旋回しない。このため清掃作業を楽に行なうことができる利点を有する。
【００２９】
（第２の実施形態）
本実施形態の継手構造は、第１の実施形態における水平旋回部材４に若干の変形を加えたものである。図８は図１のＡ−Ａ線に沿った部分に相当する部分の断面図である。本実施形態の水平旋回部材４ａは、外径が上面板７に立設された環状壁１２の外径より少し大きくしてある。そして、その環状壁１２の外径より大きい部分の下面に、厚みの薄い第２の下向き環状壁２５が同心円状に形成してある。長柄５先端部の二股状部１７の間隔は第２の下向き環状壁２５の外径に合わせて広げてある。
【００３０】
このような第２の下向き環状壁２５は、水平旋回部材４における下向き環状壁１４の外側下面２０と清掃具本体２の環状壁１２の上面２１との境界部を覆う。これにより噛み合いクラッチを構成している境界部の隙間への埃、ゴミ等の侵入が防止される。
【００３１】
（第３の実施形態）
本実施形態の継手構造は第１、第２の実施形態における円柱部材１１周りの上面板７上にコイルスプリング３の下端部を収納する浅い環状溝２７を設けた継手構造である。図９は図１のＡ−Ａ線に沿った部分に相当する部分の断面図である。水平旋回部材は第２の実施形態の水平旋回部材４ａで描いてある。
【００３２】
このような環状溝２７はコイルスプリング３の下端部を収納してコイルスプリング３の下端部が水平旋回部材４の下向き環状壁１４と上面板７との間に挟まるのを防止し、その伸縮をスムーズに行なわせる効果を奏する。
【００３３】
（第４の実施形態）
本実施形態は第２の実施形態に係る継手構造を変形したものである。図１０はその図８相当図である。第２の実施形態に係る継手構造と異なる点は、下向き環状壁１４を無くして第２の下向き環状壁２５の厚みを厚くしたことにある。清掃具本体１の円柱部材１１と環状壁１２との間にはコイルスプリング３が納まる隙間が残してある。水平旋回部材４はその内壁が円柱部材１１の外面と接触した状態で上下摺動する。このような構造にすれば水平旋回部材４の形状がより簡単になる。
【符号の説明】
【００３４】
図面中、１は清掃具本体、３はコイルスプリング、４は水平旋回部材、５は長柄、６は抜け防止部材、７は上面板、１１は円柱部材、１２は環状壁、１４は下向き環状壁、１７は二股状部、１８は円柱柱状起、１９は孔、２２は三角歯形、２５は第２の下向き環状壁、２７は環状溝を示す。
【図１】
0003177726.tif 000003
【図２】
0003177726.tif 000004
【図３】
0003177726.tif 000005
【図４】
0003177726.tif 000006
【図５】
0003177726.tif 000007
【図６】
0003177726.tif 000008
【図７】
0003177726.tif 000009
【図８】
0003177726.tif 000010
【図９】
0003177726.tif 000011
【図１０】
0003177726.tif 000012
【図１１】
0003177726.tif 000013
【図１２】
0003177726.tif 000014
【図１３】
0003177726.tif 000015